(57)【要約】【課題】複数種の記載のある表示装置（看板など）は、再利用できるものでありながらその管理が大変なため、廃棄されることが多かった。特に、道路工事等において設置される「一方通行」「通行止」等の表示のある看板はその傾向が強く、工事コスト低減が叫ばれる昨今問題になる可能性がある。【解決手段】少なくとも一対の平行桟を有する枠体と、該一対の平行桟に着脱自在に取設される一対の膜体ホルダーと、両膜体ホルダー内にその両端がそれぞれ巻き取り格納される平行な膜体とにより構成され、また該一対の平行桟の間に展開された該膜体の両側には、該膜体両側部の挟持とその解除ができるクリップ体が設けられており、且つ該膜体には、互いに独立した複数の情報が記載されている。【選択図】　　　　　　　　図１
2004109715.tif 000002
【特許請求の範囲】
【請求項１】
少なくとも一対の平行桟を有する枠体と、該一対の平行桟に着脱自在に取設される一対の膜体ホルダーと、両膜体ホルダー内にその両端がそれぞれ巻き取り格納される平行な膜体とにより構成され、また該一対の平行桟の間に展開された該膜体の両側には、該膜体両側部の挟持とその解除ができるクリップ体が設けられており、且つ該膜体には、互いに独立した複数の情報が記載されているものであることを特徴とする広告表示装置。
【請求項２】
該膜体に記載された複数の情報の中で現在表示されているものが全体の中のどのポジションのものであるのかを認識するために、全情報の位置割りが本体のいずれかの箇所に記載されたものである請求項１記載の広告表示装置。
【発明の詳細な説明】
【０００１】
【発明の属する技術分野】
本発明は、立て看板又は吊り看板形式の道路標識や案内板、或いは飲食店看板などにおいて、複数の広告内容を長尺の膜体に記載しておき、露出部分以外はロールに巻き取ってなるタイプの広告表示装置の構造に関するものである。
【０００２】
【従来の技術】
例えば道路工事があると当該現場やその周辺には、建築条例に基づく標示用、協力依頼用、その他の標示がなされる。標示物は、保安フェンス等に固定したり立てかけたりするもの、電柱などにくくりつけるもの、それ自体が脚を持っており自立させておけるいわゆる立て看板タイプのもの、等々の形態で適宜配置されている。
【０００３】
また、こうしたものに記載されるのは、工事の内容（工事の種類や工事区間、工事期間、工事施工者名、工事許可年月日、工事許可番号、など）、工事の告知（「○○米さき工事中　○○警察署」「○○米さきより片側通行です」など）といった様々なものがある。ここではこれらの記載情報全てを「広告」と呼ぶこととする。また広告は、文字情報に限定するものではなく、記号や図、絵、写真などであっても或いはこれらを併有したものであっても良いものとする。
【０００４】
通常はこれらの広告は、工事終了の日まで設置され続けるわけであるが、時として工事が昼間のある時間だけ、或いは夜間だけといったふうに特定の時間に限定されそれに起因して、或る時間帯は広告標示を取りやめる必要があるという場合がある。この場合には、当該表示装置（立て看板等）の広告面を隠すために目隠しのシートを張ったり袋を被せたり、或いは当該表示装置を当該時間だけ適当な場所に移動させたりしている。
【０００５】
【発明が解決しようとする課題】
しかし当然ながらシートを張ったり袋を被せたりといった作業は面倒で時間の掛かるものであるし、表示装置を所定の場所と他の場所を往復させるということは、作業の面倒さもさることながら場所の確保やその場所に集結した表示装置の管理等の問題もあった。
【０００６】
また、表示装置に記載されている広告内容には、「徐行」「通行止め」「一方通行」など、他の同じような場所に設置され又その使用頻度の高いものがある。そのような看板の場合工事終了後再利用すべく倉庫に保管されることがある。しかし、一般には広告内容に従って分類保管されることは稀であり、単に詰め込むだけであることが多く、結果、後日いざ使用する段になって望みの看板を探し出す作業が極めて面倒で事実上不可能ということにもなりかねなかった。
【０００７】
【課題を解決するための手段】
そこで本発明者は、こうした点に鑑み鋭意研究の結果遂に本発明を成したものであり、その特徴とするところは、少なくとも一対の平行桟を有する枠体と、該一対の平行桟に着脱自在に取設される一対の膜体ホルダーと、両膜体ホルダー内にその両端がそれぞれ巻き取り格納される平行な膜体とにより構成され、また該一対の平行桟の間に展開された該膜体の両側には、該膜体両側部の挟持とその解除ができるクリップ体が設けられており、且つ該膜体には、互いに独立した複数の情報が記載されている点にある。
【０００８】
即ち本発明は、長尺の膜体に例えば「徐行」「通行止め」「一方通行」等の広告をそれぞれ独立して記載しておき、この膜体を両端からそれぞれ巻き取ってそれらの中の一つ（例えば「徐行」）だけを露出させて表示するものである。この膜体はクリップ体によって固定されるので、風を受けて膨らみ弛んでしまうということも起こりにくく、従来の典型的な立て看板と変わりないものである。更に本発明の場合、他の広告（例えば「通行止め」）への変更は、クリップ体の挟持解除の後に膜体の露出面を変更してやれば、看板自体を取り替える必要もないというものである。また、膜体を格納している１対のホルダーは、看板の躯体を形成する枠体から簡単に取り外すことができるので、コンパクトに保管できるものである。
【０００９】
なお複数個のそれぞれ独立した広告を一枚の膜体に記載するものであるので、表示内容を変更する場合に、希望する情報が当該膜体に含まれているのかどうかを簡単に知ることができれば便利である。更に、希望する情報が現在表示されている情報を基準にどのように移動させればよいのかも知ることができればより使い勝手の良いものとなる。そのため、膜体に記載された複数の情報の中で現在表示されているものが全体の中のどのポジションのものであるのかを認識するために、全情報の位置割りが本体のいずれかの箇所に記載すると好適である。記載箇所については何ら限定するものではない。しかし、例えばホルダーを取り外してたのホルダーと交換するような場合には、この記載が枠体上にあると交換の度ごとにこの記載を変更せねばならないのでミスが起こりやすく不適当である。そこで、ホルダーの露出部分の中の目立たない箇所に設けたり、膜体の広告記載部の裏面に一つずつ設けると良い。
【００１０】
更に、膜体の材質については何ら限定するものではない。フイルム状プラスチックシート、布その他様々な材質のものが採用し得る。
また、本発明広告装置は工事用看板に限るものではなく、レストランその他の案内広告板等に用いても極めて広い用途に採用し得るものである。
【００１１】
【発明の実施の形態】
以下図面に基づき本発明を更に詳細に説明する。
【００１２】
図１は本発明に係る広告表示装置１（以下「本発明装置１」という）の一例を示すものであり、図より明らかなように本発明装置１は、鉄製角パイプを溶接して成る矩形状の枠体２と、この枠体２に取設される表示セット３とによって構成されている。枠体２は、高さが約１７００ｍｍ、幅が約５００ｍｍであり、看板としては一般的な大きさのものである。枠体２の下端には、二本の脚材２１がボルト止めによって固設されており、自立型の広告表示装置となっている。なお、図示はしないが自立式とせず、ガードレールなどの既存物に固定したり、地面に杭を打ちこれに固定する等の方法を用いても良くその場合には当然、図示した脚材２１の如き構造のものは不可欠ではない。
【００１３】
図２は、枠体２の一部を示すもので、左右の桟材２２にそれぞれクリップ体４が固設されている。これは、バネ力によって押圧板４１を桟材２２側に押圧するものであり、押圧板４１と桟材２２の間に膜体を挟み込んでおけばこれを挟持することになる。
【００１４】
図３は、表示セット３を示すものであり、構造を明らかにすべく一部を破断して描出している。表示セット３は、二本のカセット体３１，３１と膜体３２とにより成るもので、膜体３２の両端はそれぞれカセット体３１に巻き取られる形で格納されている。カセット体３１は、その内部に巻き取りローラー３３（波線で示す）を有しており、また該ローラー３３の端部にはハンドル３４が付設されカセット体３１の外側に露出している。このハンドル３４を回動させると、巻き取りローラー３３が共動して回動し、これに巻かれている膜体３２の巻き取り或いは巻き戻しをすることになる。なお、該ローラー３３の円滑な回動を支援する軸受機構、回動運動を制御するためのストッパー等も実際には備えているが、そうした本発明の要部ではない構造部分、試作品にはあるが装置に不可欠ではない構造部分については図示を省略している。
【００１５】
また本例では膜体３２の上に広告としての記載が印刷されているが、図示した文字情報の場合に限らずイラストや記号などを記載するようにしても良い。
【００１６】
記載は、「一方通行」「全面通行止」など全１０種類設けているが、表示されるのはこの中の一つだけであるので、表示記載の変更の際、この１０種の中で現在表示されているのは何番目であるのか、次に表示するのは何番目であるのか、といったことが予め分かっていることが望ましい。そこで、カセット体３１や膜体３２の裏面のどこか目立たない箇所に、表示内容の内訳５を小さく記載しておくと、そのカセット体３１の中にどのような記載があるのか一目瞭然であるし、現在表示されている記載から次に表示しようとする記載に変えるには巻き取りローラー３３をどちら方向にどの程度巻けば良いのかも見当が付けやすく便利である。図４に表示内容の内訳５の一例を示す。図４の例は記載面の裏面に記載内容の内訳５を印刷した例であり、表側の面にある記載（図中波線で囲んだもの）が全体の中のどの位置に相当するのか、他の記載はどこにあるのか、といったことが一目で分かるようになっている。また、図３中にもその一例を描出している。この例では表示内容の内訳５は、カセット体３１表面に記載されている。
【００１７】
【発明の効果】
以上詳細に説明したように本発明に係る広告表示装置は、少なくとも一対の平行桟を有する枠体と、該一対の平行桟に着脱自在に取設される一対の膜体ホルダーと、両膜体ホルダー内にその両端がそれぞれ巻き取り格納される平行な膜体とにより構成され、また該一対の平行桟の間に展開された該膜体の両側には、該膜体両側部の挟持とその解除ができるクリップ体が設けられており、且つ該膜体には、互いに独立した複数の情報が記載されているものであることを特徴とするものであり、以下述べる如き種々の効果を有する極めて高度な発明である。
【００１８】
（１）　一つの装置で多種の広告表示に対応できる。
（２）　複数の広告表示部を有する膜体ホルダーは、これを固定するものである枠体と簡単に着脱できる構造であるので、保管スペースが少なくて済み、また管理もしやすい。
（３）　膜体は、クリップ体によって枠体に挟持固定されるものであるので、強風を受けても支障がない。
【図面の簡単な説明】
【図１】本発明に係る広告表示装置の一例を示す概略分解斜視図である。
【図２】枠体のクリップ体付近を示す概略斜視図である。
【図３】膜体ホルダーの一例を示す概略斜視図である。
【図４】膜体の裏側の一例を示す概略背面図である。
【符号の説明】
１　　　　本発明に係る広告表示装置
２　　　　枠体
２１　脚材
２２　桟材
３　　表示セット
３１　カセット体
３２　膜体
３３　巻き取りローラー
４　　クリップ体
４１　押圧板
５　　表示内容の内訳
【図１】
2004109715.tif 000003
【図２】
2004109715.tif 000004
【図３】
2004109715.tif 000005
【図４】
2004109715.tif 000006